(57)【要約】【課題】簡単な操作で容器本体から所定数の定形物を取出す。【解決手段】容器本体１２は、錠剤等の定形物を多数貯留し得る貯留室を備えると共に、定形物を所定数だけ収納し得る内容積に設定した収納室を有する引出し部２０が、延出・後退自在に設けられる。引出し部２０は、弾性手段の弾力に抗して後退方向へ押圧することで該引出し部を容器本体１２の後退位置で一方向ロック開閉機構によりロックされる。また引出し部２０を、後退位置において後退方向へ押圧することで、一方向ロック開閉機構によるロックを解除して、弾性手段の弾力作用下に延出位置までの延出が許容される。そして、引出し部２０の後退位置において、貯留室から所定数の定形物を収納室２２に受取り、一方向ロック開閉機構の作用下にロックを解除して引出し部２０を延出させることで、該収納室２２から所定数の定形物を取出す。【選択図】図１
2007055623.tif 000002
【特許請求の範囲】
【請求項１】
錠剤等の定形物(M)を多数貯留し得る貯留室(14)を備えた容器本体(12)と、
前記定形物(M)を所定数だけ収納し得る内容積に設定した収納室(22)を有し、延出・後退自在に前記容器本体(12)の下方に設けられて、その後退時には該収納室(22)を前記貯留室(14)に連通させ、また延出時には該収納室(22)を容器本体(12)の外方へ臨ませる引出し部(20)と、
前記引出し部(20)と容器本体(12)との間に弾力的に介挿され、常には該引出し部(20)を延出方向へ付勢する弾性手段(30)と、
前記引出し部(20)を前記弾性手段(30)の弾力に抗して後退方向へ押圧することで該引出し部(20)を容器本体(12)の後退位置でロックし、該引出し部(20)を再度後退方向へ押圧することで前記ロックを解除して、該弾性手段(30)の弾力作用下に延出位置までの延出を許容する一方向ロック開閉機構(40)とからなり、
前記引出し部(20)を前記一方向ロック開閉機構(40)により容器本体(12)の後退位置でロックした際に、前記貯留室(14)から所定数の定形物(M)を該引出し部(20)の収納室(22)に受取り、一方向ロック開閉機構(40)の作用下にロックを解除して該引出し部(20)を延出させることで、該収納室(22)から所定数の定形物(M)を取出し得るよう構成した
ことを特徴とする定形物の所定数取出し装置。
【請求項２】
前記引出し部(20)における上方に開口する収納室(22)の延出側を画成する前板(26)は、その上端が延出方向へ傾動可能に枢支されている請求項１記載の定形物の所定数取出し装置。
【発明の詳細な説明】
【技術分野】
【０００１】
この発明は、容器本体に内部画成した貯留室に貯留した定形物を、該容器本体の下方に延出・後退自在に設けた引出し部により所定数ずつ外部へ取出し得るようにした定形物の所定数取出し装置に関するものである。
【背景技術】
【０００２】
薬剤やサプリメント等の錠剤は、ガラス瓶やプラスチック等の容器に収納して保管され、定められた摂取数だけ容器から取出して摂取される。錠剤の取出しに際して多くの場合は、錠剤を容器から手のひらに適当に振出して、余分な錠剤を容器に再び戻すので衛生上問題があった。そこで、所定数の錠剤を取出し得るよう構成した容器が提案されている(例えば、特許文献１参照)。この特許文献１の容器は、容器体の下部に錠剤を導く口筒部を設けた主部材と、主部材の下方に摺動自在に配設され、口筒部に連通する第１縦孔を設けた摺動部材とからなり、摺動部材を前進した際に、摺動部材の下方を覆う下蓋の第２縦孔に第１縦孔が整合することで、第１縦孔に落ち込んだ錠剤の数だけ外部に取出し得るよう構成されている。
【特許文献１】特開２００３−２８５８８５号公報
【発明の開示】
【発明が解決しようとする課題】
【０００３】
特許文献１の容器は、錠剤を取出すために摺動部材を前進させた状態で保持する必要があるので、取出しに手間がかかる難点があり、より簡単な操作で錠剤を所定数だけ取出すことができる容器が求められている。
【０００４】
すなわち本発明は、従来の技術に係る定形物の所定数取出し装置に内在する前記問題に鑑み、これらを好適に解決するべく提案されたものであって、より簡単な操作で定形物を所定数だけ取出し得る定形物の所定数取出し装置を提供することを目的とする。
【課題を解決するための手段】
【０００５】
前記課題を克服し、所期の目的を達成するため、本願の請求項１に係る発明の定形物の所定数取出し装置は、
錠剤等の定形物を多数貯留し得る貯留室を備えた容器本体と、
前記定形物を所定数だけ収納し得る内容積に設定した収納室を有し、延出・後退自在に前記容器本体の下方に設けられて、その後退時には該収納室を前記貯留室に連通させ、また延出時には該収納室を容器本体の外方へ臨ませる引出し部と、
前記引出し部と容器本体との間に弾力的に介挿され、常には該引出し部を延出方向へ付勢する弾性手段と、
前記引出し部を前記弾性手段の弾力に抗して後退方向へ押圧することで該引出し部を容器本体の後退位置でロックし、該引出し部を再度後退方向へ押圧することで前記ロックを解除して、該弾性手段の弾力作用下に延出位置までの延出を許容する一方向ロック開閉機構とからなり、
前記引出し部を前記一方向ロック開閉機構により容器本体の後退位置でロックした際に、前記貯留室から所定数の定形物を該引出し部の収納室に受取り、一方向ロック開閉機構の作用下にロックを解除して該引出し部を延出させることで、該収納室から所定数の定形物を取出し得るよう構成したことを特徴とする。
請求項１に係る発明によれば、引出し部の収納室は、定形物を所定数だけ収納し得る内容積に設定されているから、引出し部の後退時に貯留室から定形物を所定数だけ受取って、引出し部の延出時に外方に臨んだ収納室から定形物を所定数だけ取出すことができる。また引出し部を、後退方向へ押圧することで容器本体の後退位置で一方向ロック開閉機構によりロックし、該引出し部を再度後退方向へ押圧することで一方向ロック開閉機構によるロックを解除して、弾性手段の弾力作用下に延出が許容されるよう構成したので、引出し部は操作性に優れ、定形物を貯留室から容易に取出すことができる。
【０００６】
請求項２に係る発明は、請求項１記載の定形物の所定数取出し装置において、前記引出し部における上方に開口する収納室の延出側を画成する前板は、その上端が延出方向へ傾動可能に枢支される。
請求項２に係る発明によれば、前板を傾動させて収納室の開口を拡開し得るので、定形物をより取出し易くすることができる。
【発明の効果】
【０００７】
本発明に係る定形物の所定数取出し装置によれば、簡単な操作で定形物を所定数だけ取出すことができる。
【発明を実施するための最良の形態】
【０００８】
次に、本発明に係る定形物の所定数取出し装置につき、好適な実施例を挙げて、添付図面を参照して以下に説明する。なお、実施例の定形物の所定数取出し装置では、引出し部が容器本体から延出して開放する方向(延出方向)を前側とし、引出し部を延出した位置からを容器本体に収納する後退方向を後側と云う。また定形物とは、錠剤、タブレット、ペレット等のある程度の大きさを有する薬剤やサプリメント等の粒状のものを対象とする。
【実施例】
【０００９】
図１〜図６に示すように、実施例に係る定形物の所定数取出し装置１０は、多数の定形物Ｍを収納する貯留室１４を内部画成した容器本体１２と、この容器本体１２の下方に設けられて前後方向にスライド自在(延出・後退自在)な引出し部２０と、この引出し部２０を前側へ付勢する弾性手段３０と、引出し部２０を容器本体１２への収納時にロックする一方向ロック開閉機構４０とから構成される。なお、引出し部２０は、容器本体１２への収納時において一方向ロック開閉機構４０でロックされ、後述する収納室２２が貯留室１４に臨んで連通している状態を後退位置と云う(図２および図４参照)。これに対して、引出し部２０が前側にスライド移動して、収納室２２が容器本体１２の外方に臨んでいる開放時の状態を延出位置と云う(図３および図５参照)。
【００１０】
前記容器本体１２は、上下の端面が閉塞した中空の筒状体であって、貯留室１４の上側に連通する上部開口１２ａが該容器本体１２の上端面に開設され、この上部開口１２ａは着脱自在な蓋１６により密閉されている(図２または図３参照)。また、容器本体１２は、貯留室１４の底側に連通する下部開口１２ｂが、その前面下部に開設され、この下部開口１２ｂに引出し部２０が嵌め込まれている。容器本体１２の内部における上下方向の適宜位置には、貯留室１４の底部をなす仕切板１８が、該容器本体１２の両側壁および後壁面から内方へ向けて突設されている。仕切板１８の略中央部には、後退位置の引出し部２０に対応して貯留室１４から引出し部２０に定形物Ｍを供給する供給口１４ａが開設されている。なお、仕切板１８は、容器本体１２の内壁面から供給口１４ａに向かうにつれて下方傾斜するよう構成され、貯留室１４に収納した定形物Ｍを供給口１４ａへ向けて案内し得るようになっている。
【００１１】
前記供給口１４ａの左右の開口縁をなす仕切板１８の縁部には、下方に延出する裾部１８ａが容器本体１２の前後に亘って夫々形成され、供給口１４ａを挟んで左右の関係で対向している。また、容器本体１２の内底面には、各裾部１８ａに対向する位置に延出片１９が上方に向けて夫々突設されている。各延出片１９は、その上端部の前側および後側近傍が対応の裾部１８ａの下端に当接するように設定される。そして、各延出片１９における上端部の中間部分は凹設されて、対応する裾部１８ａの下端との間に引出し部２０の外側面に突設した後述する規制片２５を対応的に係合保持するスリット１９ａが開設される(図３参照)。
【００１２】
前記引出し部２０は、左右に離間して対向する一対の側板２４ａ,２４ａの間に底板２４ｂを架設した引出し本体２４と、この引出し本体２４における前側(延出側)に配設した前板２６とから箱状に構成され、引出し本体２４および前板２６で上方に開放する収納室２２が画成されている。引出し部２０は、容器本体１２の下部開口１２ｂに嵌め込んだ際に、対向する裾部１８ａ,１８ａおよび延出片１９,１９の間に保持されて、左右方向の位置決めがなされる。また、引出し本体２４の外側面には、規制片２５が夫々突設され、各規制片２５が裾部１８ａと延出片１９との間の対応のスリット１９ａに、該スリット１９ａに沿って前後方向にスライド可能に係合されて、引出し部２０が上下方向に位置規制される。そして引出し部２０は、両規制片２５,２５がスリット１９ａ,１９ａの前端を構成する延出片１９,１９の前部に当接することで、弾性手段３０の付勢に抗して引出し部２０の前側への移動を規制するよう構成される。
【００１３】
前記引出し部２０は、後退位置において、収納室２２が供給口１４ａを介して貯留室１４の下方に臨んで貯留室１４から定形物Ｍを受容し得ると共に、延出位置において、収納室２２が外方に臨んで定形物Ｍを所定数ずつ取出し得るようになっている。収納室２２は、所定数(実施例では１粒)の定形物Ｍを収納し得るだけの内容積に設定され、定形物Ｍの大きさを鑑みて、対向する側板２４ａ,２４ａの離間寸法および前板２６と引出し本体２４の後述する案内部２４ｃとの離間寸法が適宜設定される。
【００１４】
各側板２４ａにおける上下の寸法は、容器本体１２の内底面から供給口１４ａまでの高さと略同一であって、引出し部２０の後退位置において、各側板２４ａの上端が供給口１４ａの対応する縁辺に整合するよう構成される。底板２４ｂは、引出し部２０における開放端側(前側)近傍を一対の側板２４ａ,２４ａの下端に配置した下板部と、収納側(後側)近傍が一対の側板２４ａ,２４ａの上端近傍に配置した上板部とからなる階段状に形成されている。また、底板２４ｂにおける前側の下板部と後側の上板部との接続部分(案内部)２４ｃは、後側から前側に向かうにつれて下方傾斜するように形成されている。すなわち引出し部２０は、前板２６、一対の側板２４ａ,２４ａおよび案内部２４ｃに囲まれた前側近傍の深い部分が、定形物Ｍを受容する収納室２２として機能すると共に、後側近傍の浅い部分が案内部２４ｃに定形物Ｍを導くガイドとして機能するようになっている。
【００１５】
前記引出し部２０の前板２６は、収納室２２の前側を画成する部材であって、下部開口１２ｂと略同一寸法に設定され、引出し部２０の後退位置において下部開口１２ｂを画成する容器本体１２の縁辺と整合して所定数取出し装置１０の意匠面をなすよう構成される。また前板２６は、引出し本体２４に対して、その上端が前側に向けて傾動可能に枢支され、前板２６を前側へ傾動させることで、収納室２２の開口部を拡開し得るよう構成される。具体的に前板２６は、両側縁下部に後側に突出する支持腕２６ａ,２６ａと、各支持腕２６ａの内面に突設した支軸２６ｂとを有し、両支持腕２６ａ,２６ａで引出し本体２４の側板２４ａ,２４ａを外側から挟持すると共に、各側板２４ａに開設した軸孔に支軸２６ｂが挿通されて枢支される。そして、前板２６は、常には引出し本体２４の前側に当接した垂直姿勢にあって、定形物Ｍの取出しに際して、支軸２６ｂ,２６ｂを支点として前側に傾動させて傾斜姿勢となる。
【００１６】
前記引出し部２０は、弾性手段３０の後述するロッド３４,３４および一方向ロック開閉機構４０の後述する係止爪４２の設置基体となる略Ｌ字状の設置片２８を備え、この設置片２８は対向する側板２４ａ,２４ａの間で、かつ底板２４ｂにおける上板部の下方に配設されている。設置片２８は、上下に延在する垂直部が案内部２４ｃの後側に配置されると共に、この垂直部の上端に連設し、前後に延在する水平部が、底板２４ｂにおける上板部の下方に所定間隔離間して配置されている。
【００１７】
前記弾性手段３０は、容器本体１２の後壁面と引出し部２０の設置片２８の垂直部との間に前後方向に弾力的に介挿され、引出し部２０を容器本体１２の後壁面から離間する前側へ向けて常に付勢するよう構成されている。弾性手段３０は、容器本体１２の後壁面に一端を配設したシリンダ３２と、このシリンダ３２に進退自在に配設されて他端から延出するロッド３４と、シリンダ３２およびロッド３４の外周に配設したコイルばね３６とから構成される。実施例の弾性手段３０は、シリンダ３２、ロッド３４およびコイルばね３６からなる付勢組を左右方向に離間して２組備えている(図６または図７参照)。シリンダ３２は、他端に開放する孔部３２ａが軸線方向に沿って略全長に亘って穿設され、この孔部３２ａにロッド３４の一端部が挿入保持されている。また、ロッド３４の他端は、引出し部２０における設置片２８の垂直部に配設され、シリンダ３２の一端と設置片２８の垂直部との間に介挿したコイルばね３６によりロッド３４は伸びる方向に付勢されている。そして弾性手段３０は、引出し部２０を後側に押圧すると、コイルばね３６が縮んでロッド３４がシリンダ３２の孔部３２ａに収納されて引出し部２０の後退を許容するよう構成される。一方、弾性手段３０は、一方向ロック開閉機構４０による引出し部２０のロック状態を解除した際には、コイルばね３６の付勢下にロッド３４がシリンダ３２から前側へ突出して引出し部２０を前側へスライド移動させるようになっている。
【００１８】
前記一方向ロック開閉機構４０は、引出し部２０を後退位置において後側へ押圧することで、該引出し部２０のロック状態を解除して、引出し部２０の前側への延出移動を許容すると共に、延出位置から後退位置へ到来した引出し部２０を後退位置において弾性手段３０の付勢に抗してロックするようになっている。実施例の一方向ロック開閉機構４０は、引出し部２０に設けた係止爪４２と、引出し部２０の後退位置において係止爪４２を係脱可能に保持する係止突部４６および引出し部２０を後退位置において後側へ押圧した際に、係止爪４２を係止突部４６に再び係合しないように案内する案内突部４８を備えたスライダ４４とから構成される。係止爪４２は、引出し部２０における設置片２８の水平部下面に、上下動可能に突設されて容器本体１２の内底面に当接するよう構成され、常には下方へ突出する方向に図示しない弾性部材により付勢されている(図２または図３参照)。
【００１９】
前記スライダ４４は、容器本体１２の内底面における後側に凹設したスライド溝１２ｃに嵌合して、左右方向にスライド自在に配設されている(図８参照)。また、スライダ４４の上面には、左右方向の略中央に突設した係止突部４６およびこの係止突部４６の後側に突設した案内突部４８に加えて、左右の端縁部に突片５０が夫々突設されている。更に各突片５０には、対向する突片５０に向けて突出したガイド部５０ａが、前端近傍に形成されている。そして、スライダ４４において、一方(実施例では図８における下側)の突片５０と係止突部４６との間および係止突部４６の後側と案内突部４８の前側の領域が、係止爪４２を係止突部４６の後側に形成した係合部４６ａとの係合状態が解除されるように導く解除案内路５２として機能する。これに対し、スライダ４４において、他方(実施例では図８における上側)の突片５０と係止突部４６との間および係止突部４６の後側と案内突部４８の前側の領域が、係止爪４２を係止突部４６の係合部４６ａに係合するように導く規制案内路５４として機能する。
【００２０】
前記容器本体１２の内底面には、引出し部２０のスライド移動に際して、係止爪４２に係合する案内溝１２ｄが前後方向に延在して凹設され、この案内溝１２ｄの後端はスライダ４４の左右方向の移動により該スライダ４４の解除案内路５２または規制案内路５４に接続される。規制案内路５４の前部は、案内溝１２ｄと略同一レベルに設定され、これに対し、解除案内路５２の前部は、規制案内路５４の前部より高く設定されて段差部５２ａが設けられている。なお、規制案内路５４の前部から係止突部４６と案内突部４８との間を介して解除案内路５２の段差部５２ａまでは、徐々に高くなるように形成されている。
【００２１】
前記係止突部４６の係合部４６ａは、該係止突部４６の後面を前側に向けて凹設して形成され、この係合部４６ａに係止爪４２が係合することで、引出し部２０の前側への移動が規制される。また案内突部４８は、係止突部４６の係合部４６ａに臨む前面４８ａが、他方の突片５０から一方の突片５０に向かうにつれて後側へ傾斜するように形成されている。後退位置において引出し部２０を後側へ押圧することに伴って、係合部４６ａから後側に変位した係止爪４２を前面４８ａに当接して、スライダ４４を他方の突片５０側にスライドさせ係止爪４２を解除案内路５２に到来させるようになっている(図８(ｂ)参照)。
【００２２】
前記供給口１４ａには、左右に対向する裾部１８ａ,１８ａ間に回動自在に枢支した下板５６が配設され、この下板５６が底板２４ｂにおける上板部の下面と設置片２８における水平部の上面との隙間に挿入されて、一方向ロック開閉機構４０の上方に臨んでいる。そして、下板５６は、引出し部２０の前側へのスライド移動に際して、引出し部２０の後縁と供給口１４ａとの間に生じる隙間を覆って貯留室１４から定形物Ｍが容器本体１２の内底面に落下しないように規制している。
【００２３】
〔実施例の作用〕
次に、実施例に係る定形物の所定数取出し装置の作用について説明する。引出し部２０は、常には容器本体１２の内部に収納された後退位置にあって、貯留室１４に収納した定形物Ｍが仕切板１８に案内されて供給口１４ａを介して引出し部２０の収納室２２に受容される。このとき、引出し部２０は、係止爪４２が容器本体１２の内底面後側に配設したスライダ４４に突設した係止突部４６の後側に設けた係合部４６ａに係合することで、弾性手段３０による前側への付勢に抗して、容器本体１２に収納した後退位置でロックされている(図８(ａ)参照)。このように、引出し部２０は、一方向ロック開閉機構４０である係止爪４２および係止突部４６によりロックされているから、不用意に開くことはなく、また引出し部２０の前板２６が容器本体１２の下部開口１２ｂに整合して、下部開口１２ｂを閉成しているので、定形物Ｍが外部に飛散することはない。なお、定形物Ｍの所定数取出し装置１０は、定形物Ｍの内容積に対して大きく設定した上部開口１２ａを有しているので、不定数の定形物Ｍを取出す際または貯留室１４に定形物Ｍを投入する際の利便性に優れる。
【００２４】
前記定形物の所定数取出し装置１０から定形物Ｍを所定数ずつ取出すためには、引出し部２０の一方向ロック開閉機構４０によるロック状態を解除し、引出し部２０を後退位置から延出位置に向けて前側へスライド移動させる。すなわち先ず、一方向ロック開閉機構４０による引出し部２０のロック状態を解除するためには、引出し部２０を後側に向けて押圧して係止爪４２を後側へ移動させることで、係止爪４２と係止突部４６の係合部４６ａとの係合状態を解除する。このとき、係止突部４６の後側には、案内突部４８の案内面４８ａが臨んでいるので、引出し部２０の押圧に伴って係止爪４２が後側へ移動すると、案内面４８ａに当接しつつ該案内面４８ａの傾斜によりスライダ４４が他方の突片５０側にスライド移動する(図８(ｂ)参照)。そして、引出し部２０の押圧状態を解除すると、弾性手段３０の付勢作用下に引出し部２０は前側に向けてスライド移動するが、係止爪４２は、スライダ４４が他方の突片５０側に移動することで、係止突部４６と一方の突片５０との間の解除案内路５２に臨んでいるから、係止突部４６に再び引っ掛かることはなく、引出し部２０の前側への移動が許容される。このように、引出し部２０の一方向ロック開閉機構４０によるロック状態は、引出し部２０を後側へ向けて一回押圧するだけで解除される簡単な構成であって、引出し部２０の前側への移動は、弾性手段３０により行なわれるから、使用者の手間を軽減し得る。また、引出し部２０は、収納室２２が外方に臨む延出位置において、該引出し部２０の外側面に設けた規制片２５,２５がスリット１９ａ,１９ａの前端に当接されることで、前側への移動が延出位置で規制される。
【００２５】
前記引出し部２０の収納室２２は、所定数の定形物Ｍを受容し得る内容積に設定されているから、後退位置において収納室２２は所定数の定形物Ｍを貯留室１４から受容するだけなので、延出位置に到来した引出し部２０の収納室２２から所定数の定形物Ｍを毎回取出すことができる。また、収納室２２に受容した所定数の定形物Ｍの上方に、その一部が収納室２２に落ち込んで余分な定形物Ｍが載ったり、引出し部２０の上板部に載ることもある。しかし、引出し部２０の開放移動につれて余分な定形物Ｍは、下部開口１２ｂの縁辺に阻まれ、しかも案内部２４ｃの傾斜に案内されて容器本体１２の後側に押し退けられるので、外方に臨んだ収納室２２には、所定数の定形物Ｍだけが受容されている。このように、引出し部２０により容器本体１２から定形物Ｍを所定数ずつ簡単に取出すことができるので、外部に取出した定形物Ｍを容器本体１２に戻す必要はなく、使用者の手間を省き、貯留室１４に収納した定形物Ｍの衛生状態を損うことを回避し得る。更に、引出し部２０の前板２６は、下端縁を支点として上方が前側に傾動するので、収納室２２の上部開口を拡開することができ、収納室２２から定形物Ｍを取出し易い。
【００２６】
前記引出し部２０は、延出位置から弾性手段３０の付勢力に抗して後側へ押圧することで、容器本体１２に収納される。このとき、引出し部２０の後側への移動に伴ってスライダ４４の上面に到来した係止爪４２は、解除案内路５２の前側に設けた段差部５２ａに当接して、該段差部５２ａに沿ってスライダ４４を一方の突片５０側に押し退けてスライド移動させる(図８(ｃ)参照)。係止爪４２は、スライダ４４が一方の突片５０側に移動することで、係止突部４６と他方の突片５０との間の規制案内路５４に臨む。更に後側に引出し部２０を押し込んだ後、引出し部２０の押圧状態を解除することで、係止爪４２は係止突部４６と案内突部４８との間を通過して係合部４６ａに係合され、引出し部２０は後退位置でロックされる。このように、引出し部２０は、該引出し部２０を後側へ向けてスライド移動するだけで一方向ロック開閉機構４０によりロックされる簡単な構成であるから、使用者の手間を軽減し得る。
【図面の簡単な説明】
【００２７】
【図１】本発明の好適な実施例に係る定形物の所定数取出し装置を示す概略斜視図である。
【図２】実施例の定形物の所定数取出し装置を引出し部の収納状態で示す縦断側面図である。
【図３】実施例の定形物の所定数取出し装置を引出し部の開放状態で示す縦断側面図である。
【図４】図２のＡ−Ａ線断面図である。
【図５】図３のＣ−Ｃ線断面図である。
【図６】図２のＢ−Ｂ線断面図である。
【図７】図３のＤ−Ｄ線断面図である。
【図８】実施例の一方向ロック開閉機構によるロックおよびロック解除の状態を示す平面図である。
【符号の説明】
【００２８】
１２ 容器本体，１４ 貯留室，２０ 引出し部，２２ 収納室，２６ 前板，
３０ 弾性手段，４０ 一方向ロック開閉機構，Ｍ 定形物
【図１】
2007055623.tif 000003
【図２】
2007055623.tif 000004
【図３】
2007055623.tif 000005
【図４】
2007055623.tif 000006
【図５】
2007055623.tif 000007
【図６】
2007055623.tif 000008
【図７】
2007055623.tif 000009
【図８】
2007055623.tif 000010